(57)【要約】【課題】ノイズの目立ちやすさを抑制する。【解決手段】入力したアナログ映像信号をデジタル映像信号に変換するＡ／Ｄ変換部と、映像信号における一定期間分の平均輝度を算出するＡＰＬ算出部とを備える映像表示装置であって、上記平均輝度を監視する監視部を備え、上記監視部は、平均輝度が所定のしきい値以下である場合には、Ａ／Ｄ変換部による上記変換後のデジタル映像信号の階調範囲を、平均輝度が当該しきい値よりも高い場合の当該階調範囲と比較して少なくとも最小値を大きな値に設定させる。【選択図】図１
2012253719.tif 000002
【特許請求の範囲】
【請求項１】
入力したアナログ映像信号をデジタル映像信号に変換するＡ／Ｄ変換部と、映像信号における一定期間分の平均輝度を算出するＡＰＬ算出部とを備える映像表示装置であって、
上記平均輝度を監視する監視部を備え、
上記監視部は、平均輝度が所定のしきい値以下である場合には、Ａ／Ｄ変換部による上記変換後のデジタル映像信号の階調範囲を、平均輝度が当該しきい値よりも高い場合の当該階調範囲と比較して少なくとも最小値を大きな値に設定させることを特徴とする映像表示装置。
【請求項２】
所定の電源回路から供給された電圧を調整し、当該調整後の電圧をＡ／Ｄ変換部の駆動用の電源電圧としてＡ／Ｄ変換部へ供給する電圧調整部を備え、
上記監視部は、平均輝度が上記しきい値以下である場合には、Ａ／Ｄ変換部へ供給する電源電圧のレベルを低下させる指示を電圧調整部へ出力し、
上記電圧調整部は、上記指示を入力した場合に、Ａ／Ｄ変換部へ供給する電源電圧のレベルを第１レベルから第２レベルへ低下させ、
上記Ａ／Ｄ変換部は、電圧調整部から供給される電圧レベルが第２レベルである場合には、上記階調範囲を、電圧調整部から供給される電圧レベルが第１レベルである場合の当該階調範囲と比較して少なくとも最小値を大きな値とすることを特徴とする請求項１に記載の映像表示装置。
【請求項３】
上記Ａ／Ｄ変換部は、電圧調整部から供給される電圧レベルが第２レベルである場合には、上記階調範囲を、電圧調整部から供給される電圧レベルが第１レベルである場合の当該階調範囲と比較して狭くすることを特徴とする請求項２に記載の映像表示装置。
【発明の詳細な説明】
【技術分野】
【０００１】
本発明は、映像表示装置に関する。
【背景技術】
【０００２】
入力したアナログ映像信号をデジタル映像信号に変換するＡ／Ｄ変換部と、映像信号における一定期間分の平均輝度を算出するＡＰＬ算出部とを備える映像表示装置が知られている。
【０００３】
関連技術として、映像信号のある一定時間における平均輝度値を検出し、平均輝度値から映像情報の多い輝度レベルの映像信号領域をデジタル信号処理部における階調性のある表示が可能なγ補正カーブ領域に合うようなＡ／Ｄ変換部の入力信号帯域の平均値を算出し、この平均値からＡ／Ｄ変換部の入力信号上限値および入力信号下限値がＡ／Ｄ変換部に設定される構成が知られている（特許文献１参照。）。また、ＡＰＬ（平均映像レベル）が最低しきい値より小さいときは、出力映像信号の最大レベルを出力映像信号レベル範囲の最大値より小さなレベルとし、ＡＰＬが最大しきい値より大きいときは、出力映像信号の最小レベルを出力映像信号レベル範囲の最小値より大きいレベルとすることで、ＡＰＬが極端に小さい場合は出力映像信号レベルの最大値も極端に大きくならず、逆に、ＡＰＬが極端に大きい場合は出力映像信号レベルの最小値も極端に小さくならないようにしたダイナミック映像制御回路が知られている（特許文献２参照。）。また、低輝度検出部は、比較的低輝度の映像信号を検出し、抑圧量設定部は映像信号が低輝度になるほど大きくなるノイズ抑制量を生成し、ノイズ抑制回路は低輝度検出部により検出された比較的低輝度の映像信号に対して、抑圧量設定部により生成されたノイズ抑圧量でノイズを抑圧する構成が知られている（特許文献３参照。）。
【先行技術文献】
【特許文献】
【０００４】
【特許文献１】特開２００３‐１８９１２４号公報
【特許文献２】特開平８‐３１７２５０号公報
【特許文献３】特開２００５‐１８４７８６号公報
【発明の概要】
【発明が解決しようとする課題】
【０００５】
ここで、映像信号に基づいて映像表示を実行する場合、映像とともにノイズが表示されることで画質が劣化する。このようなノイズは、特に映像が暗い場合に目立ちやすいという課題があった。
【０００６】
本発明は上記課題を解決するためになされたものであり、映像が全体的に暗い場合のノイズの目立ちやすさを抑制することが可能な映像表示装置を提供する。
【課題を解決するための手段】
【０００７】
本発明の態様の一つは、入力したアナログ映像信号をデジタル映像信号に変換するＡ／Ｄ変換部と、映像信号における一定期間分の平均輝度を算出するＡＰＬ算出部とを備える映像表示装置であって、上記平均輝度を監視する監視部を備え、上記監視部は、平均輝度が所定のしきい値以下である場合には、Ａ／Ｄ変換部による上記変換後のデジタル映像信号の階調範囲を、平均輝度が当該しきい値よりも高い場合の当該階調範囲と比較して少なくとも最小値を大きな値に設定させる構成としてある。
【０００８】
当該構成によれば、映像表示装置は、映像信号の明るさが全体的に暗い場合には、Ａ／Ｄ変換部による変換後のデジタル映像信号が取りうる階調範囲の最小値を、映像信号の明るさが全体的に明るい場合と比較して大きな値に設定させることで、デジタル映像信号に基づいて表示される映像上でノイズが目立つことを防止することができる。
【図面の簡単な説明】
【０００９】
【図１】映像表示装置の要部を概略的に示したブロック図である。
【図２】アナログ映像信号からデジタル映像信号への変換に用いる変換特性を例示する図である。
【発明を実施するための形態】
【００１０】
本発明の実施形態として、所定の電源回路から供給された電圧を調整し、当該調整後の電圧をＡ／Ｄ変換部の駆動用の電源電圧としてＡ／Ｄ変換部へ供給する電圧調整部を備え、上記監視部は、平均輝度が上記しきい値以下である場合には、Ａ／Ｄ変換部へ供給する電源電圧のレベルを低下させる指示を電圧調整部へ出力し、上記電圧調整部は、上記指示を入力した場合に、Ａ／Ｄ変換部へ供給する電源電圧のレベルを第１レベルから第２レベルへ低下させ、上記Ａ／Ｄ変換部は、電圧調整部から供給される電圧レベルが第２レベルである場合には、上記階調範囲を、電圧調整部から供給される電圧レベルが第１レベルである場合の当該階調範囲と比較して少なくとも最小値を大きな値とする構成としてもよい。
また、本発明の実施形態として、上記Ａ／Ｄ変換部は、電圧調整部から供給される電圧レベルが第２レベルである場合には、上記階調範囲を、電圧調整部から供給される電圧レベルが第１レベルである場合の当該階調範囲と比較して狭くする構成としてもよい。
【００１１】
以下、図面を参照しながら本発明の実施形態を説明する。
図１は、本実施形態にかかる映像表示装置１０の要部を概略的に示したブロック図である。映像表示装置１０には、例えば、テレビジョンやモニター等が該当する。映像表示装置１０は、電源回路１４、ＡＤＣ電圧調整部１５、ＣＰＵ１６、アナログ・フロントエンド１１、タイミングコントローラ（Ｔ‐ＣＯＮ）１７、表示パネル１８等を備える。表示パネル１８は、例えば液晶パネルである。アナログ・フロントエンド１１は、アナログ／デジタルコンバータ（Ａ／Ｄ変換部。以下、ＡＤＣ１２と表記。）やＡＰＬ算出部１３などを含む回路である。
【００１２】
電源回路１４は、例えば、外部の商用電源から電源コードを介して取得される交流電圧を所定レベルの直流電圧ＤＣに変換し、ＡＤＣ電圧調整１５を始めとした映像表示装置１０内の各部へ必要なレベルの電圧を供給する。ＡＤＣ電圧調整部１５は、電源回路１４から供給された電圧を調整し、調整後の電圧をＡＤＣ１２の駆動用の電源電圧としてＡＤＣ１２へ供給する。
【００１３】
ＡＤＣ１２は、図示しないチューナや外部入力端子から入力したアナログ映像信号を、その電圧値に応じたデジタル映像信号に変換する。ＡＰＬ算出部１３は、変換後のデジタル映像信号における一定期間（例えば１フレーム分）毎の平均輝度（ＡＰＬ）を算出する。その他、アナログ・フロントエンド１１は、デジタル化された映像信号に対してガンマ補正等、種々の画質調整を実行した上で、映像信号をＴ‐ＣＯＮ１７へ出力する。Ｔ‐ＣＯＮ１７は、入力した映像信号をフレームメモリ（図示せず）に一時的に保存しつつ、当該保存した信号に対応する駆動信号を所定のタイミングで液晶パネル（表示パネル１８）に出力することにより、画素の配列により構成された液晶パネルの各画素を駆動して液晶パネルに映像信号に基づく映像を表示させる。
【００１４】
ＣＰＵ１６は、所定のプログラムに従った機能の一つとして、ＡＰＬ算出部１３が算出する平均輝度を監視し、監視結果に応じた指示をＡＤＣ電圧調整部１５へ出力する。ＣＰＵ１６は監視部に該当する。映像表示装置１０は、図１に示した構成以外にも、上記チューナや外部入力端子、その他、音声信号処理回路やスピーカなど、テレビジョン等を構成する上で必要な公知の各構成を備え得る。
【００１５】
ＣＰＵ１６は、ＡＰＬ算出部１３が算出する平均輝度が、予め設定された所定のしきい値以下である場合には、ＡＤＣ１２による変換後のデジタル映像信号の階調範囲について、平均輝度が当該しきい値よりも高い場合の当該階調範囲と比較して少なくともその最小値を大きな値に設定させる。より具体的には、ＣＰＵ１６は、ＡＰＬ算出部１３が算出する平均輝度が上記しきい値以下である場合には、ＡＤＣ１２へ供給する電源電圧のレベルを低下させる指示をＡＤＣ電圧調整部１５へ出力する。ＡＤＣ電圧調整部１５は、通常（ＣＰＵ１６から、当該電源電圧のレベルを低下させる指示を入力しない場合。）は、例えば電源回路１４から供給される３．３Ｖ程度（第１レベル）の電圧をそのままＡＤＣ１２へ供給するが、当該電源電圧のレベルを低下させる指示をＣＰＵ１６から入力した場合は、電源回路１４から供給される３．３Ｖ程度（第１レベル）の電圧を、５％程度低下させた電圧（第２レベル）に変換した上で、当該第２レベルの電圧を電源電圧としてＡＤＣ１２へ供給する。ＡＤＣ１２は、第１レベル±５％の範囲の電圧の供給を受けることで駆動可能なＩＣである。
【００１６】
ＡＤＣ１２は、ＡＤＣ電圧調整部１５から供給される電圧レベルが第１レベルであるか第２レベルであるかを判定し、第１レベルである場合には第１変換特性を用いてＡ／Ｄ変換を実行し、第２レベルである場合には第２変換特性を用いてＡ／Ｄ変換を実行する。
図２は、ＡＤＣ１２がアナログ映像信号（入力値）をデジタル映像信号（出力値）に変換する際に用いる変換特性を例示している。例えば、図２において二点鎖線で示した一次関数（一部実線と重なっている直線）が第１変換特性に該当し、実線で示した関数が第２変換特性に該当する。図２から判るように、第２変換特性による変換後の階調範囲は、第１変換特性による変換後の階調範囲（０〜２５５）よりも狭く、特に、少なくともその階調範囲の最小値ｍｉｎは、第１変換特性による階調範囲の最小値０よりも大きな値に設定されている。
【００１７】
かかる構成によれば、ＡＰＬ算出部１３が算出する平均輝度が上記しきい値以下である場合は、当該平均輝度が上記しきい値より高い場合と比較して、ＡＤＣ１２によるデジタル変換後の映像信号のダイナミックレンジが狭くなり、少なくとも映像内の低輝度部分がある程度明るくなる。
【００１８】
このように本実施形態によれば、映像表示装置１０は、入力する映像信号の明るさが全体的に暗い場合（平均輝度が上記しきい値以下である場合）には、ＡＤＣ１２による変換後のデジタル映像信号が取りうる階調範囲の最小値を、映像信号の明るさが全体的に明るい場合（平均輝度が上記しきい値より高い場合）と比較して大きな値に設定する。入力される映像信号には種々の原因によりノイズが重畳されている。また、ＡＤＣ１２に対してＡＤＣ調整部１５から供給される電源電圧にもノイズが重畳されており、この電源電圧に重畳されたノイズが、映像信号に対してノイズとして表れることもある。これらノイズは、映像が暗い部分で特に目立ちやすい（人間の目に見えやすい）。そこで、本実施形態のように、入力する映像信号の明るさが全体的に暗い場合（ノイズが目立ちやすい場合）には、映像の最低輝度をある程度引き上げつつダイナミックレンジを狭めることで、このようなノイズが映像上で目立つことを的確に防止することができる。また、ノイズの原因の一つとなるＡＤＣ１２に対してＡＤＣ調整部１５から供給される電源電圧についても、そのレベルを第２レベルへ下げることで、当該電源電圧の影響によるノイズを抑制することができる。
【符号の説明】
【００１９】
１０…映像表示装置、１１…アナログ・フロントエンド、１２…ＡＤＣ、１３…ＡＰＬ算出部、１４…電源回路、１５…ＡＤＣ電圧調整部、１６…ＣＰＵ、１７…Ｔ‐ＣＯＮ、１８…表示パネル
【図１】
2012253719.tif 000003
【図２】
2012253719.tif 000004